(57)【特許請求の範囲】
【請求項１】
外壁に係合手段を有する口栓部を備え、第一溶液を貯留する合成樹脂製の容器本体と、
両端が開口した段付孔を備え、一方側の基端部内周面に前記容器本体の口栓部に係合する係合手段を有し、他方側の先端部内周面に液通路用の溝を有し、この先端部内周面付近に第二溶液を貯留する合成樹脂製の頭部筒部材と、
両端が開口して略筒状に形成され、前記容器本体の前記口栓部内に差し込まれる基端部外周面に位置決め用の鍔を備え、この鍔により筒状の基端部外周面が前記口栓部内に差し込まれた場合の位置決めがなされるとともに、前記容器本体の前記口栓部から外方に突出された先端側筒状部分の略中間部位に環状リブを備え、この環状リブよりも先端部側の外径が細くされ、かつこの環状リブから前記鍔までの間の外径が若干太くなるように形成された中間筒部材と、
前記頭部筒部材の先端部側に収容され、この頭部筒部材の先端部側内周面に対し摺動可能に装着されるとともに、前記頭部筒部材の基端部側への移動は前記中間筒部材の先端部で規制される可動弁体と、
前記頭部筒部材の先端部開口内に着脱自在に装着される滴下口形成部材と、
前記頭部筒部材の先端部開口に着脱自在に装着される蓋部材と、から構成され、
前記頭部筒部材の係合手段と前記容器本体の前記口栓部における係合手段とが互いに係合されることにより、前記頭部筒部材が前記容器本体の前記口栓部側に移動され、このとき、前記中間筒部材の先端部が前記可動弁体の底面側を前記滴下口形成部材側に押し上げ、さらに、この押し上げにより移動した前記可動弁体が、前記溶液通路用の溝の少なくとも下端を越えて先端側に移動されることにより、これまで前記可動弁体により互いに遮断されていた前記頭部筒部材の先端側と基端側との間の空間が開放され、これにより、前記頭部筒部材内の前記第二溶液が前記液通路用の溝の内壁を伝わって前記容器本体側に流れ、さらに前記頭部筒部材の内周面および前記中間筒部材の内周面を通って下方に流れ、これにより、前記第二溶液が前記容器本体内の第一溶液と合流して二液が混合されることを特徴とする２液使用時混合容器。
【請求項２】
前記頭部筒部材の一端部に、離脱可能なストッパ片が一体に具備されていることを特徴とする請求項１に記載の２液使用時混合容器。
【請求項３】
前記中間筒部材の一方の開口端面には、切欠が略等間隔に形成されていることを特徴とする請求項１または２に記載の２液使用時混合容器。
【請求項４】
前記可動弁体が略板状の本体部、その上面の略中心から上方に伸びる柱状部及びその周縁に何れも可撓性材料で形成された上段リップと下段リップとを備えていることを特徴とする請求項１〜３のいずれかに記載の２液使用時混合容器。
【発明の詳細な説明】
【０００１】
【発明の属する技術分野】
本発明は２液使用時混合容器に関するもので、詳しくは、別室内に充填されている薬液等の溶液を使用時に混合して使用することができる２液使用時混合容器に関する。
【０００２】
【従来の技術】
例えば、医療分野などにおいては、２種以上の薬液等の二液を別々に貯留し、使用時に混合して使用する場合がある。このような場合に、従来はこれら二液を別々の容器内に充填し、使用時に、第一液容器と第二液容器とのそれぞれのキャップをはずし、どちらかの容器へ他方の薬液を移し変えて溶解その他の調整を行なう手段がとられていたり、あるいは、アルミ箔などを境界として第一液側と第二液側とに区切るとともにこの状態で２液を分離保管できる容器を用いて、使用時にアルミ箔を破るなどして第一液室と第二液室とを連通させ、溶液を混合する方法も知られている。
【０００３】
【発明が解決しようとする課題】
ところで、別々の容器内に２液をそれぞれ充填する前者の方法では、混ぜる際に溶液が漏出してしまう虞がある。この漏出を防止するために、ジョイント部材を用いる場合もあるが、部品点数が多くなる事態を来たし、しかもジョイント部材の衛生上の管理が煩雑になるという問題が生じている。さらに、この方法では、容器の口栓部を一旦外気にさらす結果、衛生上改善余地を残し、また、２つの容器を同時に取り扱うためには作業が煩雑で多大な手間を要していた。
【０００４】
一方、２つの容器間にアルミ箔などを配して使用時にこのアルミ箔を破るようにした前掲の中の後者の方法では、アルミ箔が破られた状態で自然落下により液の移動を行なわせていたことから、アルミ箔の破れ方によっては確実な液の流下が得られない場合があり得た。しかも、混合時の操作を単純化する方向で容器の構造を策定していることから、容器そのものの構造は却って複雑になるとともに、それぞれの溶液を手順よく充填できる様にとの配慮から来る構造に左右されて、容器の組立時に複雑な作業を要するという問題も伴った。
【０００５】
本発明の第一の目的は上記実情に鑑み、薬液を漏出させることなく簡単な作業でしかも一層衛生的に２液を混合させることができることに加えて、容器の構造が簡単であり、さらには狭い通路における液移動を積極的に行なわすことができる２液使用時混合容器を提供することにある。
【０００６】
本発明の第二の目的は、組立て時に両液が誤って混ざってしまうことがなく、ひいては保管時および輸送運搬時においても両液が不用意に混ざらないように阻止することができる２液使用時混合容器を提供することにある。
【０００７】
本発明の第三の目的は、両溶液を一層良好に混合することができる２液使用時混合容器を提供することにある。
【０００８】
【課題を解決するための手段】
上記目的を達成するための本発明に係る２液使用時混合容器は、下記の構成を特徴とする：
通常は雄ねじを有する口栓部を備え、第一溶液を貯留する合成樹脂製の容器本体と、
両端が開口した段付孔を備え、一端部の内周面に前記容器本体の口栓部に係合する通常は雌ねじを有し、他端部の内周面に液通路用の溝を有し、第二溶液を貯留する合成樹脂製の頭部筒部材と、
前記容器本体の口栓部と前記頭部筒部材との間に液通路を形成する中間筒部材と、
前記頭部筒部材の内壁面に摺動可能に装着される可動弁体と、
前記頭部筒部材の他端部開口内に着脱自在に装着される滴下口形成部材と、
前記容器本体の他端部の開口に着脱自在に装着される蓋部材と、から構成される。
【０００９】
ここで、前記頭部筒部材の一端部に、使用に先立って螺進等によって離脱可能なストッパ片が一体に具備されていることが好ましい。
また、前記中間筒部材の一方の開口端面には、切欠が略等間隔に形成されていることが好ましい。
【００１０】
さらに、前記可動弁体が略板状の本体部、その上面の略中心から上方に伸びる柱状部及びその周縁に何れも可撓性材料で形成された上段リップと下段リップとを備えていることが好ましい。
【００１１】
〔各部の相互作用〕
上記第１の構成を特徴とする本発明によれば、頭部筒部材と容器本体とのねじ結合を進める方向に螺進させていくと、内方では中間筒部材と可動弁体とが当接し、この可動弁体が中間筒部材により頭部筒部材の開口端面側に押し上げられる。すると、この可動弁体が頭部筒部材の液連通用の溝部分にまで移動する。可動弁体がこの部分まで移動すると、可動弁体の周囲に液連通用の溝による間隙が形成されるので、この間隙に次いで中間筒部材の端面に設けられた切欠を介して頭部筒部材内に貯留されていた第二溶液が容器本体側に流れ込む。これにより、第一溶液と第二溶液とが容器本体内で混合されることになる。
【００１２】
また、上記第二の構成を特徴とする本発明によれば、別々に形成された容器本体と頭部筒部材とを螺着させる際に、その最終端の位置合わせを目視することができるので、必要以上の螺進を防止できる。しかも、ストッパ片が容器本体に当接して、それ以上の螺進が通常では行えなくなるので、保管時等に両液の不用意な混合を生じさせる虞もない。
【００１３】
また、上記第三の構成による本発明によれば、中間筒部材の先端部が液通路用の溝に差しかかったときに、この溝と切欠との協同関係により、液の流れを一層良好にすることができる。
【００１４】
【実施例】
以下、図面を参照しながら本発明の実施例について説明する。
図１は本発明の一実施例に係る二液混合容器を示したもので、全体を符合１で示している。なお、明細書における「上下左右前奥」等は説明の便宜上の表現である。
【００１５】
この２液使用時混合容器１では、第一溶液Ａと第二溶液Ｂとが別々の区画に貯留された状態で一体化されている。すなわち、第一溶液Ａは、容器の下半部を構成する容器本体２内に貯留され、第二溶液Ｂは、容器の上半部を構成する頭部筒部材３内に貯留されている。
【００１６】
頭部筒部材３は、順次径を大きくした段付孔を形成した筒体であり、該頭部筒部材３は、中間筒部材４とともに容器本体２に組付けられている。なお、この頭部筒部材３には、底板が具備されていないが、内部に可動弁体５を収容することにより、底板が構成されて容器として機能する様になる。そして、第二溶液Ｂを収容した後に、後述する滴下口形成部材１０および蓋部材１１が装着される。
【００１７】
頭部筒部材３は、図３に示されたように、小径部３ａと中径部３ｂと大径部３ｃとストッパ片３ｄとから構成されており、これらの内径は小径部３ａからストッパ片３ｄに向かって順次大きく形成されている。大径部３ｃとストッパ片３ｄとの接合部分は薄肉であり、しかもストッパ片３ｄの周面に切欠が形成され、大径部３ｃに部分的に接合されている。加えて、ストッパ片３ｄの軸方向にスリット等が形成されている。これにより、ストッパ片３ｄは大径部３ｃから容易に離脱できるようになっている。また、大径部３ｃの内周面には雌ねじ８が形成されている。
【００１８】
さらに、頭部筒部材３の内壁においては中径部３ｂと小径部３ａとの境界となる位置から、中径部３ｂの略中間位置に至る範囲にわたって、液通路用の溝１２が複数個形成されている。これらの溝１２は軸方向に形成され、かつ内周面に略等間隔に形成されている。
【００１９】
また、頭部筒部材３の小径部３ａの外周には、雄ねじ１３が形成されている。一方、第一溶液Ａを貯留する容器本体２は、図２に示されたように、上部に口栓部６を有し、この口栓部６に雄ねじ７が形成されている。
【００２０】
上記中間筒部材４は、両端が開口した筒体であり、一方の開口端面には全周に亘って略等間隔に切欠１７が形成されている。また、この中間筒部材４には、その下段部を容器本体２内に挿入した際の挿入深さの位置決め手段として、鍔１４が突設されている。さらに、鍔１４と一方の開口端面との間には、環状リブ１５が突設されている。ここで、環状リブ１５から切欠１７が設けられた一方の開口端面までの外径Ｄは、鍔１４と環状リブ１５までの外径ｄに比べて小径に形成されている。この範囲の外径Ｄを小さく設定することにより、図１に示されたように、頭部筒部材３を中間筒部材４の外方に装着した状態で、中間筒部材４の外周に間隙Ｓが形成されることになる。したがって、中間筒部材４が図１の状態から上方に相対移動したときに、その先端が液通路用の溝１２に衝突することはない。
【００２１】
可動弁体５は、図３に示されたように、周縁にリップ部５ａを具備した略板状の本体部と、その上面の略中心から上方に伸びる柱状部５ｂとを有し、本体部の周縁には上段リップ５ａと下段リップ５ａとを備えている。これらのリップは、何れもゴム等の可撓性材料から形成されている。
【００２２】
なお、このような可動弁体５は、一種類の材料から形成されていなくても良い。例えば、本体部分をリップ部５ａより剛性の高い材料から形成しても良い。軽量性と軸方向剛性との両立の為に、本体部分を薄くすると共にその表面に支骨等を形成させてもよい。また、本体部分をリップ部分と同様の材料で形成し、その内部に骨材などを放射状に埋設して強度を補強することもできる。
【００２３】
リップ部５ａは頭部筒部材３の中径部３ｂの内壁に圧接できる大きさに形成されている。したがって、図３（ｂ）に示したように、この可動弁体５が中径部３ｂ内の所定位置にあるときは、中径部３ｂから大径部３ｃ側への液の漏洩が防止される。
【００２４】
滴下口形成部材１０は、フランジ１０ａを有する鍋状部材と、その中央に突出された軸部分１０ｂとから構成されている。軸部分１０ｂには上記柱状部５ｂを収容するための凹所１０ｃが形成され、この凹所１０ｃの底壁には貫通孔１０ｄが形成されている。また、貫通孔１０ｄを形成した軸部分１０ｂの先端面は、すり鉢状に湾曲して形成されている。
【００２５】
滴下口形成部材１０は、耐薬品性に富み可撓性を有するポリオレフィンなどの合成樹脂から形成されているが、収容する溶液によっては、ゴムなどから形成されても良い。
【００２６】
このように形成された滴下口形成部材１０の凹所１０ｃ内に上記可動弁体５の柱状部５ｂが収容されると、その可動弁体５は液滴下口形成部材１０に保持され、上下逆の姿勢であってもここから落下することはない。
【００２７】
蓋部材１１は、略コップ状に形成され、内周に雌ねじ１１ａが形成されるとともに、内側から見れば底壁に球状の突部が形成されている。この球状の突部に、前記軸部分１０ｂの先端面が付き合わされると、液滴下口形成部材１０の貫通孔１０ｄが閉塞され、この貫通孔１０ｄから液が漏れ出ることはない。
【００２８】
本実施例に係る２液使用時混合容器１の各構成要素は上記のように形成されているが、以下に、その組立および作用について説明する。
先ず、図２に示されたように容器本体２の口栓部６内に、中間筒部材４の一端であって端面に切欠を有していない側が嵌入される。中間筒部材４の嵌入が進むと、中間筒部材４の鍔１４が口栓部６の開口端に当接することになり、これにより中間筒部材４を所定深さまで確実に嵌入することができる。
【００２９】
このように中間筒部材４が内嵌された容器本体２内には、図示しない液充填ノズルが挿入され、このノズルを介して第一溶液Ａが充填される。
一方、図３（ａ）に示されたように、頭部筒部材３には、可動弁体５が摺動可能に内嵌される。その際、頭部筒部材３のストッパ片３ｄに形成された開口部から可動弁体５の柱状部５ｂが挿入される。可動弁体５の柱状部５ｂが頭部筒部材３の中径部３ｂの入口近傍まで挿入されると、可動弁体５のリップ部５ａが中径部３ｂの壁面に密着する。なお、この状態が上下逆にした姿勢で図３（ｂ）に示されている。これにより、頭部筒部材３にシール機能を備えた底面が構成されることになる。
【００３０】
こうして、可動弁体５を頭部筒部材３内に装着して有底区間が形成された段階で、図３（ｂ）に示したように、小径部３ａから中径部３ｂ側に向かって液充填ノズル１６を挿入し、このノズル１６を介して第二溶液Ｂを上記有底区間内に充填する。
【００３１】
また、図３（ｃ）に示されたように滴下口形成部材１０は、蓋部材１１内に図示されたように収容される。滴下口形成部材１０の先端部が蓋部材１１の底壁まで挿入されると、滴下口形成部材１０のすり鉢状の先端面が、蓋部材１１内壁の球状の突部に当接する。このとき滴下口形成部材１０のフランジ１０ａは、蓋部材１１の内壁面に係止される。したがって、滴下口形成部材１０は、図３（ｃ）に示されたように蓋部材１１に仮止めされることになり、ここからの脱落が防止される。
【００３２】
滴下口形成部材１０を収納した蓋部材１１は、図３（ｄ）に示されたように、第二溶液Ｂを充填した頭部筒部材３の小径部３ａに螺合される。これにより、第二溶液Ｂがこの頭部筒部材３内に封止される。
【００３３】
上記のように容器本体２内に第一溶液Ａを充填し、頭部筒部材３内に第二溶液Ｂを充填した段階で、これらを図１に示されたように組み付ける。あるいは、蓋部材１１を頭部筒部材３に装着することを後廻しにして、先ず、頭部筒部材３を容器本体２に組付けし、その後に第二溶液Ｂを充填することもできる。
【００３４】
いずれにしても、容器本体２の雄ねじ７に頭部筒部材３の雌ねじ８を螺合させるに伴って、頭部筒部材３のストッパ片３ｄが容器本体２の肩部近傍に当接状態で配置される。これにより、両者が所定深さまで組み付けられたことが確認される。
【００３５】
なお、図１の状態に到るまで頭部筒部材３を容器本体２に螺合していくに伴って、可動弁体５は中間筒部材４の先端部に近く押し上げられてくる。したがって、第二溶液Ｂを充填した頭部筒部材３側の液室内の圧力は、次第に増大される。
【００３６】
上記のように容器本体２に頭部筒状部材３を組み付けることにより、第一溶液Ａと第二溶液Ｂを別々の部屋に充填した２液使用時混合容器１が形成されることになる。
【００３７】
なお、本発明の２液使用時混合容器はこの姿勢で保存され、また他の場所に輸送されることになる。
以下、この２液使用時混合容器１内に充填された２液を実際に混合して使用する操作について説明する。
【００３８】
その場合、図４（ａ）に矢印Ｄで示されたように頭部筒部材３を時計方向に回動させる。すなわち、螺子による結合を進める方向に螺進させると、先ず、ストッパ片３ｄの進行は容器本体２の肩部で阻止されているが、この状態で大径部３ｃの回動が進むので、ストッパ片３ｄと大径部３ｃとの接合部が切断される。そして、このストッパ片３ｄに形成されたスリット等を拡開することにより、このストッパ片３ｄを口栓部６の周囲から取り除くことができる。
【００３９】
ストッパ片３ｄが除かれた状態からさらに頭部筒部材３のねじ込み（螺進）を行なうと、図４（ｂ）に示されたように、中間筒部材４の上方端が可動弁体５に当接し、以後、可動弁体５が中間筒部材４に押されて蓋部材１１に接近するように移動する。こうして、可動弁体５が蓋部材１１に接近すると、第二溶液Ｂを充填した室の容積が減少するとともに室内の圧力上昇が生じる。一方、可動弁体５のリップ部５ａは、頭部筒部材３内壁の液通路用の溝１２が形成された範囲にまで移動し、リップ部５ａによるシール機能が解除される。これにより、第二溶液Ｂを充填した液室内の圧力が急激に容器本体２側に逃げるとともに、第二溶液Ｂがリップ部５ａの隙間から溝１２を経て下方に流下する。頭部筒部材３を最終位置まで螺合させると、第二溶液Ｂを収容していた室は消滅する。遂には、可動弁体５の棒状体５ｂが滴下口形成部材１０の凹所１０ａ内に挿入される。柱状部５ｂが凹所１０ｃ内に挿入されると、この可動弁体５は滴下口形成部材１０内に一体に保持されることになる。
【００４０】
このように、２液使用時混合容器１が図４（ｂ）に示されたような姿勢を維持することにより、第二溶液Ｂが第一溶液Ａに混ざり合うことになる。
なお、第一溶液Ａと第二溶液Ｂとが混ざった混合液を実際に使用するときには、図５に示されたように、蓋部材１１を取り外して２液使用時混合容器１の姿勢を逆転させれば、混合液を滴下口形成部材１０の貫通孔１０ｄから送出することができる。この際に、混合液の流れは、中間筒部材４の先端部に設けられた切欠１７から可動弁体５のリップ部５ａの周縁に位置する溝１２を伝って滴下口形成部材１０の貫通孔１０ｄから容器外に送出されることになる。
【００４１】
一方、所定量の混合液を滴下した後、残りを一旦保管する場合には、蓋部材１１を再度、小径部３ａに装着すれば良い。
このような２液使用時混合容器１は、薬液を始めてとして多種多様な分野に使用することができる。
【００４２】
以上、本発明の一実施例による２液使用時混合容器について説明したが、本発明は上記実施例に何ら限定されない。例えば、上記実施例では、２液を混合させるときに、第二溶液Ｂを収容する室の容積を殆ど消失してしまう構造に構成されているが、これに代えて、第二溶液Ｂを収容する室の容積を残すような構造であっても良い。
【００４３】
図６および図７は、このように第二溶液を収容する室の容積を残すようにした他の実施例による２液使用時混合容器２０を示したもので、前記実施例と同一要素は同一符合で示されている。
【００４４】
この実施例では、頭部筒部材３および中間筒部材４の長さが前記実施例のものに比べて短く形成されている。また、蓋部材１１内に着脱自在に収容される液通路形成部材２３は、全体が釜状に形成され、内方に凹所２３ａが形成されているが、この凹所２３ａの壁面中央に貫通孔２３ｂが形成され、外周面にフランジ２３ｃが具備されている。
【００４５】
本実施例の他の構成要素は前記実施例と略同様に形成されている。
上記のように形成された液通路形成部材２３は、蓋部材１１内に図示されたように開口面を蓋部材１１と同じ方向に向けて収容されるが、他の構成要素の組付けについては前記実施例と同様である。
【００４６】
以下に、この実施例による２液使用時混合容器２０内に収容されている第一溶液Ａと第二溶液Ｂとを実際に混合する場合の作業について説明する。
先ず、図６（ａ）に示された状態から頭部筒部材３を矢印Ｄ方向（時計方向）に回動させ、同図（ｂ）に示されたようにストッパ片３ｄを大径部３ｃから切断し、ストッパ片３ｄを取り除く。その後、さらに頭部筒部材３を螺進すると、図７（ａ）に示されたように、可動弁体５が中間筒部材４に押されて蓋部材１１側に移動し、そのリップ部５ａが液通路用の溝１２を形成した位置に差しかかる。ここで、第二溶液Ｂを充填した部屋の圧力は頭部筒部材３の螺合に伴って既に増大している。
【００４７】
したがって、リップ部５ａが溝１２に差しかかると、第二溶液Ｂを充填した室内の圧力が容器本体２側に逃げるように液通路が形成される。この状態から、さらに容器本体２の胴部を軽く握りその後、離す操作を繰り返して行なえば、第一溶液Ａを収容している室の圧力を増大させて、可動弁体５を押し上げる一方、リップ部５ａの周囲と溝１２との間に間隙が形成されて、上方の第二溶液Ｂが下方の容器本体２側に流下するようになる。しかも、中間筒部材４の先端には切欠１７が形成されているので、第一溶液Ａは速やかに下方に滴下することになる。これにより、第二溶液Ｂを第一溶液Ａに混合することができる。この際に、中間筒部材４には環状リブ１５が形成されているので、このリブ１５を越えて外方に液が漏れ出る虞もない。
【００４８】
なお、上記の操作によって混合した溶液を実際に使用する場合には、図７（ｂ）に示されたように蓋部材１１を外せば滴下口形成部材２３が頭部筒部材３に係止される。したがって、容器本体２の胴部を軽く握るなどすれば、この滴下口形成部材２３の孔２３ｂから混合液を滴下することができる。
【００４９】
以上、本発明の各実施例について説明したが、本発明は上記実施例に何ら限定されない。例えば、可動弁体５、蓋部材１１および液通路形成部材１０、２３等の形状は他の形状であっても良い。
【００５０】
また、以上の実施例では、第一溶液Ａ側と第二溶液Ｂ側とを予め充填した後に組立てるようにしているが、これに代えて、先ず第一溶液Ａを容器本体２側に充填し、この上に頭部筒部材３を螺着し、その後、第二溶液Ｂを充填して最後に蓋体１１を装着するようにしても良い。
【００５１】
また、頭部筒部材３と容器本体１の口栓部６との係合手段、頭部筒部材３の小径部３ａと蓋部材１１との係合手段は何れも通常は螺着であるが、その他の係合手段例えば、バイヨネット方式又は弾性圧嵌方式等を採用できる。これらの方式では可撓性ガスケットの併用が好ましい。
【００５２】
【発明の効果】
以上説明したように、本発明に係る２液使用時混合容器によれば、２液を充填する際に外気特に、空気にさらされることがないので、衛生的である。しかも構造が簡単であり、組立時に２液を誤って混ぜてしまう虞もない。さらに、保管時、運搬時においても溶液が不用意に混ざり合わないように確実に封止することができる。
【００５３】
したがって、薬液などの２液使用時混合容器として有効に利用することができる。
また、頭部筒部材３の内壁に液通路用の溝が形成されているので、自然落下だけの場合に比べて狭い通路であっても溶液を効率良く下方に流下させることができる。
【図面の簡単な説明】
【図１】図１は本発明の一実施例による２液使用時混合容器を示す正面図である。
【図２】図２は同実施例による２液使用時混合容器の容器本体に中間筒部材を差し込んだ状態を示す正面図である。
【図３】図３は同実施例による２液使用時混合容器の第二液側の容器の組立順序を示すもので、同図（ａ）は頭部筒部材に可動弁体を差し込む前の状態を示す断面図、同図（ｂ）は第一溶液を充填する様子を示す断面図、同図（ｃ）は第二溶液Ｂを充填した頭部筒部材に蓋部材を差し込む前の状態を示す断面図であり、同図（ｄ）は蓋部材を装着した頭部筒部材の断面図である。
【図４】図４（ａ）は実際に２液を混合する場合の操作を示す断面図で、同図（ｂ）は混合状態を示す断面図である。
【図５】図５は２液が混合された溶液を外部に滴下する場合の断面図である。
【図６】図６は本発明の他の実施例を示すもので、図６（ａ）は２液を混合する前の状態を示す断面図、同図（ｂ）は２液を混合するために頭部筒部材を螺合させた状態を示す断面図である。
【図７】図７（ａ）は他の実施例による２液使用時混合容器から実際に２液を混合する際の断面図、同図（ｂ）は混合された溶液を実際に使用する際の断面図である。
【符号の説明】
１、２０        ２液使用時混合容器
２              容器本体
３              頭部筒部材
３ｄ            ストッパ片
４              中間筒部材
５              可動弁体
６              口栓部
７              雄ねじ
８              雌ねじ
１０、２３      液通路形成部材
１１            蓋部材
１２            溝
１７            切欠
【図１】
0003681207.tif 000002
【図２】
0003681207.tif 000003
【図３】
0003681207.tif 000004
【図４】
0003681207.tif 000005
【図５】
0003681207.tif 000006
【図６】
0003681207.tif 000007
【図７】
0003681207.tif 000008